(57)【要約】【課題】配線を挿通したりオプションを取付けたりする作業が容易な天板昇降式デスクを提供する。【解決手段】床面上に配置される下部支持体、下部支持体の上方に配置される上部支持体１２、及び下部支持体と上部支持体との間を伸縮可能に連結する昇降機構ユニット１３を有し、左右方向Ｘに離間して配置された一対の脚体１０と、一対の脚体の上部支持体同士を連結する連結部材２５と、一対の脚体の上部支持体上に支持されて連結部材上に配置される天板３０と、を備える天板昇降式デスク１において、天板よりも後方に配置されるとともに天板に対して相対的に前後方向に移動可能であり、天板に接触又は接近した通常状態と、通常状態よりも後方に移動した保守状態とに切り替え可能な後部補助部材４５を備える。【選択図】図３
2016137168.tif 000002
【特許請求の範囲】
【請求項１】
床面上に配置される下部支持体、前記下部支持体の上方に配置される上部支持体、及び前記下部支持体と前記上部支持体との間を伸縮可能に連結する昇降機構ユニットを有し、左右方向に離間して配置された一対の脚体と、一対の前記脚体の前記上部支持体同士を連結する連結部材と、一対の前記脚体の前記上部支持体上に支持されて前記連結部材上に配置される天板と、を備える天板昇降式デスクにおいて、
前記天板よりも後方に配置されるとともに前記天板に対して相対的に前後方向に移動可能であり、前記天板に接触又は接近した通常状態と、前記通常状態よりも後方に相対的に移動した保守状態とに切り替え可能な後部補助部材を備えることを特徴とする天板昇降式デスク。
【請求項２】
前記後部補助部材は、上下方向及び左右方向にそれぞれ延びる板状部材であることを特徴とする請求項１に記載の天板昇降式デスク。
【請求項３】
前記天板よりも左右方向の少なくとも一方に配置され、前記天板の縁部に沿って前後方向に延びる側部補助部材を備えることを特徴とする請求項１又は２に記載の天板昇降式デスク。
【請求項４】
前記後部補助部材と前記側部補助部材とが連なることを特徴とする請求項３に記載の天板昇降式デスク。
【発明の詳細な説明】
【技術分野】
【０００１】
本発明は、オフィスや公共施設等の執務空間において、執務者の要望に応じて天板の高さを上下方向に変更可能とした天板昇降式デスクに関する。
【背景技術】
【０００２】
オフィスや公共施設等の執務空間においては、執務者に作業エリアを提供するためにデスク装置（デスク）が配設されているのが一般的である。執務者の体格や性別、嗜好によって作業のし易いデスク装置の天板高さは、個々によって大きく異なっている。こうした実状においては、天板高さが一定であるデスク装置では対応することができないため、天板高さを上下方向に変更可能とした天板昇降式デスクが使用されている。こうした天板昇降式デスクを用いることによって、執務者の要望に応じた天板高さの作業エリアを提供することができ、作業効率を向上するとともに、執務者の体への負荷を低減することができる。
【０００３】
天板高さを上下方向に変更するための手段としては、ガススプリングを用いる方法、ギアを用いる方法等が発明されている（例えば、特許文献１及び２参照）。これらの方法によれば、比較的簡易的な構造とし、コストを安く抑えることができる。また、執務者の操作性を良好にするために電動式の昇降機構ユニットを用いる方法が多く採用されている（例えば、特許文献３から５参照）。この方法によれば、執務者が容易な操作で天板高さを変更できる。
【先行技術文献】
【特許文献】
【０００４】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特開２０１４−１４０７５３号公報
【発明の概要】
【発明が解決しようとする課題】
【０００５】
天板昇降式デスクにおいては、天板の端部（特に、天板の端部における執務者が使用する側とは反対側の端部）にデスクトップパネル（後部補助部材）を配設することによって、天板上の作業空間を他の空間と隔離して構成するとともに、天板昇降時に天板上に置いた物品が落下するのを防止したものが多く見られている。
こうした構造では、その目的から天板の端部に接触又は接近するようにデスクトップパネルを配設する必要がある。しかし、天板の端部とデスクトップパネルとの間に隙間が無い（少ない）ため、天板とデスクトップパネルとの間に配線を挿通することができないという問題や、天板の端部を把持部材により把持してオプション（小物棚等の付属部品）を取付けることができない等の問題を有していた。
【０００６】
本発明は、このような問題点に鑑みてなされたものであって、配線を挿通したりオプションを取付けたりする作業が容易な天板昇降式デスクを提供することを目的とする。
【課題を解決するための手段】
【０００７】
上記課題を解決するために、この発明は以下の手段を提案している。
本発明の天板昇降式デスクは、床面上に配置される下部支持体、前記下部支持体の上方に配置される上部支持体、及び前記下部支持体と前記上部支持体との間を伸縮可能に連結する昇降機構ユニットを有し、左右方向に離間して配置された一対の脚体と、一対の前記脚体の前記上部支持体同士を連結する連結部材と、一対の前記脚体の前記上部支持体上に支持されて前記連結部材上に配置される天板と、を備える天板昇降式デスクにおいて、前記天板よりも後方に配置されるとともに前記天板に対して相対的に前後方向に移動可能であり、前記天板に接触又は接近した通常状態と、前記通常状態よりも後方に相対的に移動した保守状態とに切り替え可能な後部補助部材を備えることを特徴としている。
【０００８】
この発明によれば、後部補助部材を通常状態から保守状態にすることで天板と後部補助部材との間に隙間ができるか、天板と後部補助部材との間の隙間が広がる。
【０００９】
また、上記の天板昇降式デスクにおいて、前記後部補助部材は、上下方向及び左右方向にそれぞれ延びる板状部材であることがより好ましい。
この発明によれば、天板昇降式デスク全体としての前後方向の長さを抑えつつ、天板上の物品が落下するのをより確実に防止することができる。
【００１０】
また、上記の天板昇降式デスクにおいて、前記天板よりも左右方向の少なくとも一方に配置され、前記天板の縁部に沿って前後方向に延びる側部補助部材を備えることがより好ましい。
この発明によれば、天板上に置いた物品が天板に対して左右方向に落下するのを抑えることができる。
【００１１】
また、上記の天板昇降式デスクにおいて、前記後部補助部材と前記側部補助部材とが連なることがより好ましい。
この発明によれば、天板上に置いた物品が後部補助部材と側部補助部材との間を通して落下するのを抑えることができる。
【発明の効果】
【００１２】
本発明の天板昇降式デスクによれば、配線を挿通したりオプションを取付けたりする作業が容易になる。
【図面の簡単な説明】
【００１３】
【図１】本発明の一実施形態の天板昇降式デスクの斜視図である。
【図２】同天板昇降式デスクの要部を下方から見た斜視図である。
【図３】同天板昇降式デスクの側面の断面図である。
【図４】同天板昇降式デスクの底面の要部の断面図である。
【図５】同天板昇降式デスクにおいてデスクトップパネルを通常状態にしたときの平面図である。
【図６】同天板昇降式デスクにおいてデスクトップパネルを保守状態にしたときの平面図である。
【図７】本発明の実施形態の変形例における天板昇降式デスクの平面図である。
【図８】本発明の実施形態の変形例における天板昇降式デスクの要部の側面の断面図である。
【図９】同天板昇降式デスクの作用を示す断面図である。
【図１０】本発明の実施形態の変形例における天板昇降式デスクの要部の側面の断面図である。
【図１１】同天板昇降式デスクの作用を示す断面図である。
【発明を実施するための形態】
【００１４】
以下、本発明に係る天板昇降式デスクの一実施形態を、図１から図１１を参照しながら説明する。
図１から３に示すように、本実施形態の天板昇降式デスク１は、左右方向Ｘに離間して配置された一対の脚体１０と、一対の脚体１０の上部支持体１２同士を連結する連結部材２５と、一対の脚体１０の上部支持体１２上に支持されて連結部材２５上に配置される天板３０と、天板３０よりも後方に配置されたデスクトップパネル（後部補助部材）４５とを備えている。
脚体１０は、床面Ｇ上に配置される下部支持体１１、下部支持体１１の上方に配置される上部支持体１２、及び下部支持体１１と上部支持体１２との間を伸縮可能に連結する昇降機構ユニット１３を有している。
【００１５】
下部支持体１１は、前後方向Ｙに延びる接地フレーム１６と、接地フレーム１６の下面に取付けられ床面Ｇに接地するアジャスター１７とを有している。アジャスター１７は、接地フレーム１６の前方の端部及び後方の端部にそれぞれ設けられている。
各アジャスター１７は公知の構成のものであり、接地フレーム１６に対してアジャスター１７が上下方向Ｚに移動することで、天板昇降式デスク１の不陸を調整することができる。
【００１６】
上部支持体１２は、図２及び３に示すように、例えば鋼板を折り曲げて前後方向Ｙに延びるように構成したものである。本実施形態では、前後方向Ｙにおいて、昇降機構ユニット１３から上部支持体１２の後方の端部までの長さよりも、昇降機構ユニット１３から上部支持体１２の前方の端部までの長さの方が長い。
【００１７】
昇降機構ユニット１３は、従来公知の構成からなるもので、図１及び２に示すように、外径寸法の異なる複数の角筒１３ａ、１３ｂ、１３ｃと、角筒１３ａ、１３ｂ、１３ｃの内部に収容された図示しない駆動機構とを備えている。角筒１３ａ、１３ｂ、１３ｃは互いに上下方向Ｚに相対移動可能に嵌り合っていて、駆動機構を駆動することで昇降機構ユニット１３は上下方向Ｚに伸縮することができる。これにより、昇降機構ユニット１３は下部支持体１１と上部支持体１２の間を伸縮可能に連結している。
【００１８】
連結部材２５は、図２及び３に示すように、例えば長手方向の断面がコ字形になるように鋼板を折り曲げた部材である。連結部材２５は左右方向Ｘに延びるように配置され、連結部材２５の両端部が、脚体１０の上部支持体１２に溶接等により固定されている。
連結部材２５は前後方向Ｙに並べて一対配置されるとともに、一対の連結部材２５のコ字形の開口が対向するように配置されている。
天板３０の下方であって一対の連結部材２５の間には、各脚体１０の昇降機構ユニット１３の駆動機構を制御するための制御ユニット２６が設けられている。
一対の連結部材２５には、後方に延びる底板２７が、ネジ止め等により取付けられている。底板２７は、左右方向Ｘに間隔を開けて複数取付けられていて、制御ユニット２６が下方から外部に露出している。
【００１９】
天板３０の構成は、天板３０の上面で物品を支持可能なものであれば特に限定されない。本実施形態では、天板３０は、例えば鋼板の端部を折り曲げて構成されている。天板３０の上面は、上下方向Ｚに直交する平坦な面である。天板３０は、上下方向Ｚに平行に見たときに矩形状に形成されている（図５参照）。
天板３０は、天板３０の下面に複数の補強部材３２、３３、３４、３５（以下、補強部材３２〜３５と略記する）を取付けることで補強されている。
補強部材３２〜３５は、天板３０を補強できるものであれば特に限定されない。この例では、補強部材３２〜３５は断面が矩形の角筒状の鋼管だとして説明するが、補強部材３２〜３５は上方が開口するとともに、開口の縁部に天板３０に取付けるためのフランジ部が設けられた構成のものであってもよい。
補強部材３２〜３５は左右方向Ｘに延びるとともに前後方向Ｙに間隔を空けて配置されている。補強部材３２〜３５は、前方から後方に向けて補強部材３２〜３５の順で、補強部材３３、３４で、一対の連結部材２５を挟むように配置されている。
天板３０と補強部材３２〜３５とは、溶接等により取付けられている。
【００２０】
図１及び３に示すように、天板３０における補強部材３４と補強部材３５との間の部分には、開口３０ａが形成されている。開口３０ａは、天板３０に左右方向Ｘに間隔を空けて一対形成されている。
図３に示すように、補強部材３４の開口３０ａ側の側面には、図示しないコンセントを有するコンセントユニット３８が取付けられている。このコンセントユニット３８には配線３９の一端部が接続され、配線３９の他端部には図示しないプラグが設けられている。プラグは、天板昇降式デスク１の外部に引き出されている。
コンセントユニット３８は制御ユニット２６に接続され、コンセントユニット３８を介して制御ユニット２６や駆動機構に電力が供給される。
天板３０の前方の端部の下面には、制御ユニット２６を操作するための操作部４０が取付けられている。
補強部材３５の下面には、上下方向Ｚに延びる貫通孔３５ａが形成されている。貫通孔３５ａは、例えば天板３０に左右方向Ｘに間隔を空けて３つ形成されている。
【００２１】
デスクトップパネル４５は、例えばＭＤＦ（Ｍｅｄｉｕｍ  Ｄｅｎｓｉｔｙ  Ｆｉｂｅｒｂｏａｒｄ、中密度繊維板）の表面にクロス等の被覆材を設けたものを用いることができる。
デスクトップパネル４５は、図１及び３に示すように主面４５ａが前後方向Ｙに直交するとともに、上下方向Ｚ及び左右方向Ｘにそれぞれ延びる板状部材である。デスクトップパネル４５は、一部が天板３０の上面よりも上方に配置され、残部が天板３０の上面よりも下方に配置されている。
デスクトップパネル４５の主面４５ａには、図３及び４に示すように接続部材４６の上下方向Ｚに延びる腕部４６ａがビス４７（図２参照）等により取付けられている。腕部４６ａの上方の端部には、前後方向Ｙに延びる腕部４６ｂの後方の端部が連結されている。腕部４６ｂには、上下方向Ｚに貫通するとともに前後方向Ｙに延びる貫通孔４６ｃが形成されている。接続部材４６は、例えば鋼板をプレス加工し、打抜き加工することで形成することができる。
腕部４６ｂの貫通孔４６ｃ、及び補強部材３５の貫通孔３５ａには、ネジ部材４８が挿通されている。ネジ部材４８は、補強部材３５内に配置されたナット４９に螺合している。
【００２２】
ネジ部材４８は腕部４６ｂの貫通孔４６ｃ内で前後方向Ｙに移動することができる。これにより、天板３０に対して接続部材４６及びデスクトップパネル４５が前後方向Ｙに移動することができる。
図１及び５に示すように天板３０の後方の端部とデスクトップパネル４５とが接触した通常状態において、執務者は天板３０上に図示しない書類や筆記用具等の物品を置いて作業する。
天板３０におけるデスクトップパネル４５から最も離間した端部が、天板昇降式デスク１を使用するときに執務者が近づく使用端部３０bとなる。一方で、天板３０におけるデスクトップパネル４５に最も近い端部が、天板昇降式デスク１を使用するときに執務者から遠い側の不使用端部３０ｃとなる。
【００２３】
ネジ部材４８とナット４９との螺合を緩めた（接続部材４６の腕部４６ｂにネジ部材４８が弱く接触した、又は腕部４６ｂとネジ部材４８とが離間した）状態で、ネジ部材４８に対して接続部材４６を後方に移動させると、天板３０に対して接続部材４６及びデスクトップパネル４５が通常状態よりも後方に移動して、デスクトップパネル４５が図４及び６に示す位置Ｐ１に移動した保守状態になる。デスクトップパネル４５を保守状態にすると、後述するように天板３０とデスクトップパネル４５との間の隙間Ｓ１に配線Ｇ１を挿通する等の天板昇降式デスク１の保守作業がしやすくなる。
ネジ部材４８とナット４９との螺合をきつくする（接続部材４６の腕部４６ｂにネジ部材４８を強く接触させる）と、天板３０に接続部材４６が固定される。
【００２４】
このように、デスクトップパネル４５は、通常状態と保守状態とに切り替え可能である。
そして、天板昇降式デスク１の操作部４０を操作して、制御ユニット２６により駆動機構を駆動させて脚体１０を伸縮させることで、床面Ｇから天板３０までの上下方向Ｚの距離（天板３０の高さ）を変化させることができる。このように、天板昇降式デスク１では電気の動力により天板３０が上下方向Ｚに自動的に移動する。
【００２５】
次に、以上のように構成された天板昇降式デスク１の作用について説明する。天板昇降式デスク１のデスクトップパネル４５は、予め通常状態になっているとする。
オフィス等の執務空間に天板昇降式デスク１を配置する。
天板昇降式デスク１のプラグを、床面Ｇ等に設けられた図示しないコネクタ装置に差し込み、コンセントユニット３８を介して制御ユニット２６等に電力を供給する。
執務者が操作部４０を操作すると、制御ユニット２６が駆動機構を駆動することで天板３０の高さが変化する。
【００２６】
執務者はネジ部材４８の螺合を緩め、天板３０に対してデスクトップパネル４５を後方に移動させ、デスクトップパネル４５を図６に示す保守状態にする。
天板３０とデスクトップパネル４５との間の隙間Ｓ１に配線Ｇ１を挿通したり、隙間Ｓ１にオプションの把持部材Ｇ２を挿通してこの把持部材Ｇ２で天板３０の後方の端部を把持したりする。隙間Ｓ１のうち不要な部分を塞ぐように天板３０に対してデスクトップパネル４５を前方に移動させ、天板３０及びデスクトップパネル４５で配線Ｇ１及び把持部材Ｇ２を挟持する。ネジ部材４８の螺合をきつくして、天板３０にデスクトップパネル４５を固定する。
【００２７】
デスクトップパネル４５の一部は天板３０の上面よりも上方に配置されているため、天板３０の上面に置いた図示しない物品が後方に移動しても、デスクトップパネル４５により天板３０から物品が落下するのが防止される。
デスクトップパネル４５は上下方向Ｚ及び左右方向Ｘにそれぞれ延びる板状部材であるため、物品が落下するのをより確実に防止するとともに、前後方向Ｙに厚くならない。
執務者が天板３０上でコンピュータ等の電気製品（不図示）を使うときには、天板３０上に電気製品を置く。電気製品のプラグを天板３０の開口３０ａを通してコンセントユニット３８のコンセントに接続する。
【００２８】
以上説明したように、本実施形態の天板昇降式デスク１によれば、デスクトップパネル４５は通常状態と保守状態とに切り替え可能である。したがって、デスクトップパネル４５を保守状態に切り替えて天板３０とデスクトップパネル４５との間に隙間Ｓ１を形成した状態で、隙間Ｓ１に配線Ｇ１を挿通したり、隙間Ｓ１に把持部材Ｇ２を挿通して天板３０の後方の端部にオプションの把持部材Ｇ２を取付ける作業を容易に行うことができる。
デスクトップパネル４５は上下方向Ｚ及び左右方向Ｘにそれぞれ延びる板状部材であるため、天板昇降式デスク１全体としての前後方向Ｙの長さを抑えつつ、天板３０上の物品が落下するのをより確実に防止することができる。
デスクトップパネル４５により隙間Ｓ１に挿通した配線Ｇ１や把持部材Ｇ２が隠れるため、天板昇降式デスク１の体裁を良好に保つことができる。
【００２９】
本実施形態の天板昇降式デスク１は、以下に説明するようにその構成を様々に変形させることができる。
例えば、図７に示す天板昇降式デスク１Ａのように、天板昇降式デスク１の各構成に加えて天板３０よりも右方及び左方にそれぞれ配置されたデスクトップサイドパネル（側部補助部材）５５、５６を備えてもよい。
デスクトップサイドパネル５５、５６はデスクトップパネル４５と同様に構成されている。デスクトップサイドパネル５５、５６は、天板３０の縁部に沿って上下方向Ｚ及び前後方向Ｙにそれぞれ延びる板状部材である。デスクトップサイドパネル５５、５６の少なくとも一部は、天板３０の上面よりも上方に配置されている。天板３０とデスクトップサイドパネル５５、５６とは、図示はしないが、前述の接続部材４６と同様に構成された接続部材であって前後方向Ｙに延びる貫通孔が形成されたものと、ネジ部材、ナットとで接続することができる。
デスクトップパネル４５とデスクトップサイドパネル５５とが連なることで、デスクトップパネル４５とデスクトップサイドパネル５５との間に隙間がない。同様に、デスクトップパネル４５とデスクトップサイドパネル５６とが連なることで、デスクトップパネル４５とデスクトップサイドパネル５６との間に隙間がない。
【００３０】
天板昇降式デスク１Ａがデスクトップサイドパネル５５、５６を備えることで、天板３０上に置いた物品が天板３０に対して左右方向Ｘに落下するのを抑えることができる。
デスクトップパネル４５とデスクトップサイドパネル５５とが連なることで、天板上に置いた物品がデスクトップパネル４５とデスクトップサイドパネル５５との間を通して落下するのを抑えることができる。
なお、本変形例では、天板昇降式デスク１Ａがデスクトップサイドパネル５５、５６を備えるとしたが、天板昇降式デスク１Ａはデスクトップサイドパネル５５、５６の少なくとも一方を備えていればよい。
【００３１】
図８に示す天板昇降式デスク１Ｂのように、本実施形態の天板昇降式デスク１のデスクトップパネル４５に代えて、天板３０Ａよりも後方に蓋部材（後部補助部材）６０を備えてもよい。蓋部材６０は、天板３０Ａの左右方向Ｘの全長にわたり設けられていてもよいし、天板３０Ａの左右方向Ｘの一部のみに設けられていてもよい。
この変形例では、天板３０Ａの後方の端部は補強部材３４辺りまで延びている。底板２７の後方の端部は補強部材３５まで延び、底板２７と補強部材３４、３５との間にダクト６１を構成する。
【００３２】
蓋部材６０は図示しないレール構造により、天板３０Ａや補強部材３５に対して前後方向Ｙに移動することができる。図８は、天板３０Ａの後方の端部と蓋部材６０とが接触した通常状態を示している。蓋部材６０を通常状態よりも後方に移動させて図９に示す保守状態にすると、天板３０Ａと蓋部材６０との間に隙間Ｓ２が形成される。
この隙間Ｓ２に配線Ｇ１を挿通したり、隙間Ｓ１にオプションの把持部材Ｇ２を挿通してこの把持部材Ｇ２で天板３０Ａの後方の端部を把持したりする。隙間Ｓ２に挿通した配線Ｇ１を、ダクト６１に通すことができる。
【００３３】
図１０に示す天板昇降式デスク１Ｃのように、本実施形態の天板昇降式デスク１において、一対の脚体１０、連結部材２５、及びデスクトップパネル４５に対して天板３０が前後方向Ｙに移動可能となるように構成してもよい。
具体的には、天板昇降式デスク１Ｃは、図示しないレール構造により、補強部材３２〜３５上を天板３０が前後方向Ｙに移動可能となっている。
デスクトップパネル４５は補強部材３５に接続部材６６で固定されている。
図１０に示す天板３０及びデスクトップパネル４５が通常状態のときには、デスクトップパネル４５は天板３０の後方の端部に接触している。
【００３４】
デスクトップパネル４５等に対して天板３０を前方に移動させ、図１１に示すようにデスクトップパネル４５が天板３０の後方の端部から離間した保守状態にすると、天板３０とデスクトップパネル４５との間に隙間Ｓ３が形成される。この場合においても、天板３０に対してデスクトップパネル４５が後方に相対的に移動する。
この変形例においても、この隙間Ｓ３に配線Ｇ１を挿通したり、隙間Ｓ３に把持部材Ｇ２を挿通して天板３０の後方の端部にオプションの把持部材Ｇ２を取付ける作業を容易に行うことができる。
【００３５】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、通常状態のときにデスクトップパネル４５は天板３０の後方の端部に接触しているとしたが、デスクトップパネル４５が天板３０の後方の端部に接近し、デスクトップパネル４５と天板３０との間に隙間が形成されていてもよい。
後部補助部材はデスクトップパネル４５や蓋部材６０に限られず、一対の脚体１０の間に設けられた幕板であってもよい。
【符号の説明】
【００３６】
１、１Ａ、１Ｂ、１Ｃ  天板昇降式デスク
１０  脚体
１１  下部支持体
１２  上部支持体
１３  昇降機構ユニット
２５  連結部材
３０  天板
４５  デスクトップパネル（後部補助部材）
５５、５６  デスクトップサイドパネル（側部補助部材）
６０  蓋部材（後部補助部材）
Ｇ    床面
Ｘ    左右方向
Ｙ    前後方向
Ｚ    上下方向
【図１】
2016137168.tif 000003
【図２】
2016137168.tif 000004
【図３】
2016137168.tif 000005
【図４】
2016137168.tif 000006
【図５】
2016137168.tif 000007
【図６】
2016137168.tif 000008
【図７】
2016137168.tif 000009
【図８】
2016137168.tif 000010
【図９】
2016137168.tif 000011
【図１０】
2016137168.tif 000012
【図１１】
2016137168.tif 000013